(57)【要約】【課題】連結部材のカバーへの取付時に工具を要せず、素手で簡単に取付可能で、懸架部材がはずれにくく、簡単な構造の連結部材を使用した連結方法を提供する。【解決手段】器具本体と、この器具本体に対して懸架部材を介して着脱自在に取り付けられるカバーとを備えた照明器具において、前記懸架部材と前記カバーとを連結する連結部材を用いた連結方法であって、前記連結部材は基板部と折返部とから構成され、前記折返部は前記懸架部材を係止し、前記基板部は前記カバーに設けたスリットにスライドしながら嵌り込み、かつ前記基板部に設けた開口部と前記カバーに設けた嵌合突起とが嵌り合うことで前記懸架部材と前記カバーとを連結する。【選択図】図１
2012043663.tif 000002
【特許請求の範囲】
【請求項１】
器具本体と、この器具本体に対して懸架部材を介して着脱自在に取り付けられるカバーとを備えた照明器具において、前記懸架部材と前記カバーとを連結する連結部材を用いた連結方法であって、前記連結部材は基板部と折返部とから構成され、前記折返部は前記懸架部材を係止し、前記基板部は前記カバーに設けたスリットにスライドしながら嵌り込み、かつ前記基板部に設けた開口部と前記カバーに設けた嵌合突起とが嵌り合うことで前記懸架部材と前記カバーとを連結することを特徴とする連結方法。
【請求項２】
連結する際に、前記折返部の先端部を、前記カバーに設けたブロック部材より、前記折返部を閉じる方向に配置することにより、前記懸架部材が前記折返部から外れることを防止することを特徴とする請求項１に記載の連結方法。
【発明の詳細な説明】
【技術分野】
【０００１】
本発明は、照明器具のカバーと懸架部材の連結方法に関する。
【背景技術】
【０００２】
通常、天井や壁に取り付けられる照明器具は、ランプを内蔵する箱体である器具本体にカバーが取り付けられる構造となっている。カバーは眩しさを軽減したり見栄えを良くする目的で利用され、透光性を有した部材を用いたものがよく用いられている。器具本体とカバーとの取付はＶ字型ばねに代表されるような線材を加工した懸架部材を介して取り付けられており、着脱が簡単に行えるように工夫がなされている。着脱の作業時において、この懸架部材のばね作用で急激にカバーが引きあがらないようにする為に、例えば特許文献１〜３のような変形型Ｖ字型ばねや制動装置等が開発されている。
【０００３】
懸架部材は、連結部材によってカバーに連結される。連結部材は、特許文献４のように、Ｖ字型ばねを係止させる折返部の形状を改良し、Ｖ字型ばねがはずれないようにしたものや、図１に示すものが見られる。これらの連結部材をカバーに取り付けるには、ビス等の部品を使用した取付方法が行われてきた。しかしながら、ビス止めするには、ビスの部品と工具を利用して取り付ける必要があり、手間がかかった。
【０００４】
この手間を省く技術として、特許文献５に開示されているものがある。特許文献５の技術では、取付方法もビス等の部品や工具を要せず、素手で取り付けることができ、かつ連結部材から懸架部材がはずれにくく工夫されている。しかしながら、この連結部材は湾曲部、爪部の数が多く形状が複雑でコスト高であった。
【０００５】
また、本出願人は、特許文献６に開示された連結部材を開発しているが、当該文献中図６（ａ）から（ｂ）の状態に連結部材１をセットするには、爪部１４が障害となるため、連結部材１の上部を図中左方向に少し傾けてから行う必要があり、作業が複雑になっていた。また、ばね性を多く利用した取付方法であるので、ばね精度のばらつきによっては、作業に工具を使用する方が作業が楽になる場合もあった。
【先行技術文献】
【特許文献】
【０００６】
【特許文献１】特開平６−２１５６０８号公報
【特許文献２】特開平１１−１６２２２７号公報
【特許文献３】特開平５−１５１８１０号公報
【特許文献４】特開平１１−１２６５１１号公報
【特許文献５】特開平１１−３０６８３９号公報
【特許文献６】特開２００６−３０２５０８号公報
【発明の概要】
【発明が解決しようとする課題】
【０００７】
本発明が解決しようとする課題は、連結部材のカバーへの取付時に工具を要せず、素手で簡単に取付可能で、懸架部材がはずれにくく、簡単な構造の連結部材を使用した連結方法を提供することである。
【課題を解決するための手段】
【０００８】
前記課題を解決するために、本発明の連結方法は、器具本体と、この器具本体に対して懸架部材を介して着脱自在に取り付けられるカバーとを備えた照明器具において、前記懸架部材と前記カバーとを連結する連結部材を用いた連結方法であって、前記連結部材は基板部と折返部とから構成され、前記折返部は前記懸架部材を係止し、前記基板部は前記カバーに設けたスリットにスライドしながら嵌り込み、かつ前記基板部に設けた開口部と前記カバーに設けた嵌合突起とが嵌り合うことで前記懸架部材と前記カバーとを連結することを特徴とする。
【０００９】
連結部材は、弾性を有する材料で形成する。特に限定はしないが、金属やプラスチックを用いるのが好ましい。折返部は、材料を湾曲又は屈曲して折返し、懸架部材を係止できるように形成する。
【００１０】
懸架部材とは、Ｖ字型ばねに代表されるような線材を加工した物を指すが、特許文献１又は２で示されているようなＶ字型ばねを変形した物や、Ｖ字型ではなく、菱形やハート型のばねでも良く、同目的の物であるならば形は問わない。
【００１１】
また、本発明の連結方法において、連結する際に、前記折返部の先端部を、前記カバーに設けたブロック部材より、前記折返部を閉じる方向に配置することにより、前記懸架部材が前記折返部から外れることを防止することを特徴とする。ブロック部材は、前記した嵌合突起にその役割を持たせると簡単な構成となる。
【発明の効果】
【００１２】
本発明の連結方法は、ビス等の部品を使用せずに素手で簡単に連結部材をカバーに取り付けることができるので、工具も要せず、手間がかからない。これにより、懸架部材とカバーの連結が短時間で行われる。また、簡単な構成であるので低コストで提供できる。
【図面の簡単な説明】
【００１３】
【図１】従来の連結部材を用いてカバーとＶ字型ばねを連結している部分の拡大斜視図である。
【図２】本発明の連結方法による連結部材を用いた照明器具を示す斜視図である。
【図３】本発明の連結方法による連結部材を示す斜視図である。
【図４】図３のＡ−Ａ線での連結部材の断面図である。
【図５】本発明の連結方法によるカバーの連結部材が取り付けられる部分の拡大斜視図である。
【図６】本発明の連結方法によりカバーとＶ字型ばねを連結した状態を示した斜視図である。
【発明を実施するための形態】
【００１４】
以下、図２〜図６を参照して本発明の実施の一形態を図面を用いて説明する。
【００１５】
図２は、本発明の連結方法による連結部材を用いた照明器具を示す図である。図示しないランプを収容する器具本体４の側板内側には係合部材４１が備えられ、Ｖ字型ばね２が懸架できるようになっている。カバー３には連結部材１が取り付けられている。カバー３は連結部材１によりＶ字型ばね２と連結され、Ｖ字型ばね２が係合部材４１に懸架すると、カバー３はばねの力により器具本体４に引き寄せられて取り付けられる。
【００１６】
本発明の連結方法による連結部材１は、図３及び図４に示したように、基板部１１と折返部１２とから基本的に構成されている。材料は弾性を有する金属板を使用している。折返部１２は金属板を湾曲して形成されており、平面的な基板部１１と一体に成形されている。基板部１１は、折返部１２との付け根辺りから左右両端が翼のように膨らんだ形状を有している。また、基板部１１は底辺から距離Ｈをもって幅Ｗの開口部１３が形成されている。
【００１７】
図５は、カバー３に設けたスリット３１及び嵌合突起３２を示す図である。スリット３１は、左右一対で一組の構成であり、連結部材１がカバー３にスライドして取り付く際にガイドとなるように形成されている。スリット３１は、図６に示すように、取り付けられた連結部材１が、基板部１１面に対し前後方向へ動くのを抑制する機能も有している。また、嵌合突起３２は、カバー３上に、Ｈ以上の高さＨ１をもってＷ以下の幅Ｗ１で形成している。高さＨ１はＨに近い方が連結部材１を取り付けたときの上下の動きが少なくなり、幅Ｗ１はＷに近い方が左右の動きが少なくなる。
【００１８】
嵌合突起３２は、上部を斜めに面取りして形成している。これにより、連結部材１が下方にスライドしながら取り付けられる際に連結部材１の開口部１３の下部が面取り部分で変形して嵌合突起３２に乗り上がり、開口部１３に嵌合突起３２が嵌り込む際に変形した連結部材１が弾性により元の形状に戻る。元の形状に戻ることで、連結部材１の開口部１３の下部は、嵌合突起３２の下部にブロックされて取り付けられた連結部材１がはずれることが無くなる。面取りは、本実施例においては平面に形成しているが、曲面に形成しても良い。
【００１９】
連結部材１がカバー３に取り付く際には、図６に示すように、折返部１２の先端部１４を、嵌合突起３２より折返部１２を閉じる方向（図中手前側）に配置するようにする。嵌合突起３２は、先端部１４の動きを抑制し、Ｖ字型ばね２が折返部１２から外れることを防止するブロック部材としての役割を果たすことになる。開口部１３は、折返部１２が通過できるよう充分な大きさとする。
【産業上の利用可能性】
【００２０】
本発明の連結部材は、照明器具のカバーと懸架部材を連結する際に利用できる他、照明器具以外においての連結部材としても応用できる。
【符号の説明】
【００２１】
１      連結部材
２      Ｖ字型ばね
３      カバー
４      器具本体
１１    基板部
１２    折返部
１３    開口部
１４    先端部
２１    コイル部
３１    スリット
３２    嵌合突起
４１    係合部材
【図１】
2012043663.tif 000003
【図２】
2012043663.tif 000004
【図３】
2012043663.tif 000005
【図４】
2012043663.tif 000006
【図５】
2012043663.tif 000007
【図６】
2012043663.tif 000008